(57)【要約】【課題】表示品質を向上させることができるような電源生成部を提供する。【解決手段】本発明の電源生成部は、１フレームの第１期間に第１電圧を出力し、それ以外の期間に前記第１電圧を出力しないＤＣ／ＤＣコンバータと、前記ＤＣ／ＤＣコンバータと出力端子との間に接続され、前記第１期間にターンオンされる第１トランジスタと、前記出力端子と、前記第１電圧より低い第３電圧を供給する第３電圧源との間に接続され、第２期間にターンオンされる第２トランジスタと、前記出力端子と、前記第１電圧と同一またはそれより低い第２電圧を供給する第２電圧源との間に接続され、第３期間にターンオンされる第３トランジスタとを備える。【選択図】図５
2014026255.tif 000002
【特許請求の範囲】
【請求項１】
１フレームの第１期間に第１電圧を出力し、それ以外の期間に前記第１電圧を出力しないＤＣ／ＤＣコンバータと、
前記ＤＣ／ＤＣコンバータと出力端子との間に接続され、前記第１期間にターンオンされる第１トランジスタと、
前記出力端子と、前記第１電圧より低い第３電圧を供給する第３電圧源との間に接続され、第２期間にターンオンされる第２トランジスタと、
前記出力端子と、前記第１電圧と同一またはそれより低い第２電圧を供給する第２電圧源との間に接続され、第３期間にターンオンされる第３トランジスタとを備えることを特徴とする電源生成部。
【請求項２】
前記第２電圧は、前記第３電圧より高い電圧であることを特徴とする請求項１に記載の電源生成部。
【請求項３】
前記ＤＣ／ＤＣコンバータは、
第１電源電圧と前記第１電源電圧より低い第２電源電圧との間に直列に接続される第４トランジスタおよび第５トランジスタと、
前記第４トランジスタおよび第５トランジスタの間の共通ノードと前記第１トランジスタとの間に接続されるインダクタと、
前記第４トランジスタおよび第５トランジスタのターンオンおよびターンオフを制御するための制御部とを備えることを特徴とする請求項１に記載の電源生成部。
【請求項４】
前記制御部は、前記第１期間の間、前記第４トランジスタおよび第５トランジスタを交互にターンオンおよびターンオフさせ、前記第１期間を除いた前記第２期間および第３期間の間、前記第４トランジスタをターンオフ、前記第５トランジスタはターンオン状態に設定することを特徴とする請求項３に記載の電源生成部。
【請求項５】
フレームの第１期間の間、インダクタに流れる電流量が制御されるように、第４トランジスタおよび第５トランジスタを交互にターンオンおよびターンオフさせながら、第１電圧を出力端子に供給するステップと、
前記第１期間を除いた前記フレームの残りの期間の間、第４トランジスタおよび第５トランジスタのうちのいずれか１つをターンオン状態に維持するステップとを含むことを特徴とする電源生成方法。
【請求項６】
前記フレームの第２期間の間、前記出力端子に前記第１電圧より低い第３電圧を供給するステップと、
前記フレームの第３期間の間、前記出力端子に前記第１電圧と第３電圧との間の第２電圧を供給するステップとを含むことを特徴とする請求項５に記載の電源生成方法。
【請求項７】
前記第４トランジスタおよび第５トランジスタは、第１電源電圧および前記第１電源電圧より低い第２電源電圧の間に直列に接続され、前記残りの期間の間、前記第２電源電圧に接続された前記第５トランジスタがターンオン状態を維持することを特徴とする請求項５に記載の電源生成方法。
【請求項８】
走査線およびデータ線の間に接続される画素と、
フレームの発光期間にローレベル、非発光期間にハイレベルの第２電源を前記画素に供給するための第２電源生成部と、
前記発光期間に第１電圧の第１電源、前記非発光期間に前記第１電圧より低い電圧の第１電源を前記画素に供給するための第１電源生成部とを備え、
前記第１電源生成部は、
前記発光期間に前記第１電圧を出力し、前記非発光期間に前記第１電圧を出力しないＤＣ／ＤＣコンバータを備えることを特徴とする有機電界発光表示装置。
【請求項９】
前記第１電源生成部は、
前記ＤＣ／ＤＣコンバータと、
前記ＤＣ／ＤＣコンバータと出力端子との間に接続され、前記発光期間にターンオンされる第１トランジスタと、
前記出力端子と、前記第１電圧より低い第３電圧を供給する第３電圧源との間に接続され、前記非発光期間の一部期間にターンオンされる第２トランジスタと、
前記出力端子と、前記第１電圧と同一またはそれより低い第２電圧を供給する第２電圧源との間に接続され、前記一部期間を除いた前記非発光期間の残りの期間にターンオンされる第３トランジスタとを備えることを特徴とする請求項８に記載の有機電界発光表示装置。
【請求項１０】
前記第２電圧は、前記第３電圧より高い電圧であることを特徴とする請求項９に記載の有機電界発光表示装置。
【請求項１１】
前記第２電圧は、前記ハイレベルの第２電源の電圧であることを特徴とする請求項９に記載の有機電界発光表示装置。
【請求項１２】
前記ＤＣ／ＤＣコンバータは、
第１電源電圧と前記第１電源電圧より低い第２電源電圧との間に直列に接続される第４トランジスタおよび第５トランジスタと、
前記第４トランジスタおよび第５トランジスタの間の共通ノードと前記第１トランジスタとの間に接続されるインダクタと、
前記第４トランジスタおよび第５トランジスタのターンオンおよびターンオフを制御するための制御部とを備えることを特徴とする請求項９に記載の有機電界発光表示装置。
【請求項１３】
前記制御部は、前記発光期間の間、前記第４トランジスタおよび第５トランジスタを交互にターンオンおよびターンオフさせることを特徴とする請求項１２に記載の有機電界発光表示装置。
【請求項１４】
前記制御部は、前記非発光期間の間、前記第２電源電圧を出力する第５トランジスタをターンオン状態、前記第４トランジスタをターンオフ状態に設定することを特徴とする請求項１２に記載の有機電界発光表示装置。
【請求項１５】
前記発光期間にイネーブル信号を前記第１電源生成部に供給するためのタイミング制御部をさらに備えることを特徴とする請求項８に記載の有機電界発光表示装置。
【発明の詳細な説明】
【技術分野】
【０００１】
本発明の実施形態は、電源生成部の駆動方法とこれを用いた有機電界発光表示装置に関し、特に、表示品質を向上させることができる電源生成部の駆動方法とこれを用いた有機電界発光表示装置に関する。
【背景技術】
【０００２】
最近、陰極選管（Ｃａｔｈｏｄｅ  Ｒａｙ  Ｔｕｂｅ）の欠点である重量と体積を減らすことが可能な各種平板表示装置が開発されている。平板表示装置には、液晶表示装置（Ｌｉｑｕｉｄ  Ｃｒｙｓｔａｌ  Ｄｉｓｐｌａｙ）、電界放出表示装置（Ｆｉｅｌｄ  Ｅｍｉｓｓｉｏｎ  Ｄｉｓｐｌａｙ）、プラズマ表示パネル（Ｐｌａｓｍａ  Ｄｉｓｐｌａｙ  Ｐａｎｅｌ）、および有機電界発光表示装置（Ｏｒｇａｎｉｃ  Ｌｉｇｈｔ  Ｅｍｉｔｔｉｎｇ  Ｄｉｓｐｌａｙ  Ｄｅｖｉｃｅ）などがある。
【０００３】
平板表示装置のうち、有機電界発光表示装置は、電子と正孔の再結合によって光を発生する有機発光ダイオードを用いて映像を表示するものであり、これは、速い応答速度を有すると同時に、低消費電力で駆動されるという利点がある。
【０００４】
通常、有機電界発光表示装置は、有機発光ダイオードを駆動する方式に応じて、パッシブマトリクス型（ＰＭＯＬＥＤ）とアクティブマトリクス型（ＡＭＯＬＥＤ）とに分類される。
【０００５】
アクティブマトリクス型有機電界発光表示装置は、複数の走査線、複数のデータ線および複数の電源線と、前記線に連結されてマトリクス形態に配列される複数の画素とを備える。画素は、通常、有機発光ダイオードと、有機発光ダイオードに供給される電流量を制御する駆動トランジスタと、駆動トランジスタにデータ信号を伝達するためのスイッチングトランジスタと、データ信号の電圧を維持するためのストレージキャパシタとから構成される。
【０００６】
このようなアクティブマトリクス型有機電界発光表示装置は、消費電力が少ないという利点があるが、有機発光素子を駆動する駆動トランジスタのゲートとソースとの間の電圧、つまり、駆動トランジスタの閾値電圧（ｔｈｒｅｓｈｏｌｄ  ｖｏｌｔａｇｅ）の偏差によって有機発光素子を介して流れる電流強度が変化し、表示ムラをもたらす問題があった。
【０００７】
現在は、画素間ムラ現象を克服すると同時に、画素の構造を簡略に維持するために、１フレーム期間に駆動電源（第１電源ＥＬＶＤＤ、第２電源ＥＬＶＳＳ）の電圧を変更しながら駆動する方法が提案されている。駆動電源の電圧を変更する場合、画素に含まれるトランジスタの数を最小化しながら、駆動トランジスタの閾値電圧を補償できるという利点がある。しかし、駆動電源の電圧が変更される場合、高い消費電力の消耗および安定性が低下して表示品質が低くなる問題が発生することがある。
【発明の概要】
【発明が解決しようとする課題】
【０００８】
したがって、本発明の実施形態の目的は、表示品質を向上させると同時に、消費電力が減少するようにする電源生成部の駆動方法とこれを用いた有機電界発光表示装置を提供することである。
【課題を解決するための手段】
【０００９】
本発明の実施形態にかかる電源生成部は、１フレームの第１期間に第１電圧を出力し、それ以外の期間に前記第１電圧を出力しないＤＣ／ＤＣコンバータと、前記ＤＣ／ＤＣコンバータと出力端子との間に接続され、前記第１期間にターンオンされる第１トランジスタと、前記出力端子と、前記第１電圧より低い第３電圧を供給する第３電圧源との間に接続され、第２期間にターンオンされる第２トランジスタと、前記出力端子と、前記第１電圧と同一またはそれより低い第２電圧を供給する第２電圧源との間に接続され、第３期間にターンオンされる第３トランジスタとを備える。
【００１０】
好ましくは、前記第２電圧は、前記第３電圧より高い電圧である。前記ＤＣ／ＤＣコンバータは、第１電源電圧と前記第１電源電圧より低い第２電源電圧との間に直列に接続される第４トランジスタおよび第５トランジスタと、前記第４トランジスタおよび第５トランジスタの間の共通ノードと前記第１トランジスタとの間に接続されるインダクタと、前記第４トランジスタおよび第５トランジスタのターンオンおよびターンオフを制御するための制御部とを備える。前記制御部は、前記第１期間の間、前記第４トランジスタおよび第５トランジスタを交互にターンオンおよびターンオフさせ、前記第１期間を除いた前記第２期間および第３期間の間、前記第４トランジスタをターンオフ、前記第５トランジスタはターンオン状態に設定する。
【００１１】
本発明の実施形態にかかる電源生成方法は、フレームの第１期間の間、インダクタに流れる電流量が制御されるように、第４トランジスタおよび第５トランジスタを交互にターンオンおよびターンオフさせながら、第１電圧を出力端子に供給するステップと、前記第１期間を除いた前記フレームの残りの期間の間、第４トランジスタおよび第５トランジスタのうちのいずれか１つをターンオン状態に維持するステップとを含む。
【００１２】
好ましくは、前記フレームの第２期間の間、前記出力端子に前記第１電圧より低い第３電圧を供給するステップと、前記フレームの第３期間の間、前記出力端子に前記第１電圧と第３電圧との間の第２電圧を供給するステップとを含む。前記第４トランジスタおよび第５トランジスタは、第１電源電圧および前記第１電源電圧より低い第２電源電圧の間に直列に接続され、前記残りの期間の間、前記第２電源電圧に接続された前記第５トランジスタがターンオン状態を維持する。
【００１３】
本発明の実施形態にかかる有機電界発光表示装置は、走査線およびデータ線の間に接続される画素と、フレームの発光期間にローレベル、非発光期間にハイレベルの第２電源を前記画素に供給するための第２電源生成部と、前記発光期間に第１電圧の第１電源、前記非発光期間に前記第１電圧より低い電圧の第１電源を前記画素に供給するための第１電源生成部とを備え、前記第１電源生成部は、前記発光期間に前記第１電圧を出力し、前記非発光期間に前記第１電圧を出力しないＤＣ／ＤＣコンバータを備える。
【００１４】
好ましくは、前記第１電源生成部は、前記ＤＣ／ＤＣコンバータと、前記ＤＣ／ＤＣコンバータと出力端子との間に接続され、前記発光期間にターンオンされる第１トランジスタと、前記出力端子と、前記第１電圧より低い第３電圧を供給する第３電圧源との間に接続され、前記非発光期間の一部期間にターンオンされる第２トランジスタと、前記出力端子と、前記第１電圧と同一またはそれより低い第２電圧を供給する第２電圧源との間に接続され、前記一部期間を除いた前記非発光期間の残りの期間にターンオンされる第３トランジスタとを備える。前記第２電圧は、前記第３電圧より高い電圧である。前記第２電圧は、前記ハイレベルの第２電源の電圧である。
【００１５】
前記ＤＣ／ＤＣコンバータは、第１電源電圧と前記第１電源電圧より低い第２電源電圧との間に直列に接続される第４トランジスタおよび第５トランジスタと、前記第４トランジスタおよび第５トランジスタの間の共通ノードと前記第１トランジスタとの間に接続されるインダクタと、前記第４トランジスタおよび第５トランジスタのターンオンおよびターンオフを制御するための制御部とを備える。前記制御部は、前記発光期間の間、前記第４トランジスタおよび第５トランジスタを交互にターンオンおよびターンオフさせる。前記制御部は、前記非発光期間の間、前記第２電源電圧を出力する第５トランジスタをターンオン状態、前記第４トランジスタをターンオフ状態に設定する。前記発光期間にイネーブル信号を前記第１電源生成部に供給するためのタイミング制御部をさらに備える。
【発明の効果】
【００１６】
本発明の実施形態にかかる電源生成部の駆動方法とこれを用いた有機電界発光表示装置によれば、フレーム期間中、非発光期間にＤＣ／ＤＣコンバータを非駆動状態に設定し、これにより、発熱および消費電力を低減することができる。言い換えれば、非発光期間の間、ＤＣ／ＤＣコンバータ内に含まれてインダクタに供給される電流量を制御するトランジスタをターンオンまたはターンオフ状態に固定する。このようにトランジスタがターンオンまたはターンオフ状態に固定されると、トランジスタで消費する電力、インダクタで消費する電力などが低減され、これに対応して発熱も低くなるという利点がある。
【図面の簡単な説明】
【００１７】
【図１】本発明の実施形態にかかる有機電界発光表示装置を示す図である。
【図２】本発明の実施形態にかかる有機電界発光表示装置の駆動方法を示す図である。
【図３】図１に示された画素の実施形態を示す図である。
【図４】フレーム期間に供給される第１電源および第２電源の実施形態を示す図である。
【図５】本発明の実施形態にかかる第１電源生成部を示す図である。
【図６】図５に示されたＤＣ／ＤＣコンバータの実施形態を示す図である。
【図７】図６に示されたＤＣ／ＤＣコンバータの駆動過程を示す波形図である。
【図８】フレーム期間に供給される第１電源および第２電源の他の実施形態を示す図である。
【発明を実施するための形態】
【００１８】
以下、本発明の属する技術分野における通常の知識を有する者が本発明を容易に実施できる好ましい実施形態を、添付した図１ないし図８を参照して詳細に説明する。
【００１９】
図１は、本発明の実施形態にかかる有機電界発光表示装置を示す図である。
【００２０】
図１を参照すれば、本発明の実施形態にかかる有機電界発光表示装置は、走査線Ｓ１〜Ｓｎ、制御線ＧＣおよびデータ線Ｄ１〜Ｄｍの交差部に位置する画素１４０を含む画素部１３０と、走査線Ｓ１〜Ｓｎを駆動するための走査駆動部１１０と、制御線ＧＣを駆動するための制御線駆動部１６０と、データ線Ｄ１〜Ｄｍを駆動するためのデータ駆動部１２０と、走査駆動部１１０、データ駆動部１２０および制御線駆動部１６０を制御するためのタイミング制御部１５０とを備える。
【００２１】
また、本発明の実施形態にかかる有機電界発光表示装置は、画素１４０に第１電源ＥＬＶＤＤを供給するための第１電源生成部１７０と、画素１４０に第２電源ＥＬＶＳＳを供給するための第２電源生成部１８０とを備える。
【００２２】
走査駆動部１１０は、走査線Ｓ１〜Ｓｎに走査信号を同時および／または順次に供給する。一例として、走査駆動部１１０は、１フレーム期間中、補償期間に走査線Ｓ１〜Ｓｎに走査信号を同時に供給し、走査期間に走査線Ｓ１〜Ｓｎに走査信号を順次に供給する。
【００２３】
データ駆動部１２０は、走査期間の間、走査信号に同期するように、データ線Ｄ１〜Ｄｍにデータ信号を供給する。
【００２４】
制御線駆動部１６０は、補償期間に制御線ＧＣに制御信号を供給する。一方、走査信号、制御信号などの信号は、画素１４０に含まれたトランジスタがターンオンできる電圧に設定される。
【００２５】
画素部１３０は、走査線Ｓ１〜Ｓｎおよびデータ線Ｄ１〜Ｄｍの交差部に位置する画素１４０を備える。画素１４０は、第１電源ＥＬＶＤＤおよび第２電源ＥＬＶＳＳの供給を受ける。このような画素１４０は、１フレーム期間中、発光期間の間、データ信号に対応して、第１電源ＥＬＶＤＤから有機発光ダイオードを経由して第２電源ＥＬＶＳＳに供給される電流量を制御する。すると、有機発光ダイオードで所定輝度の光が生成される。
【００２６】
第１電源生成部１７０は、画素１４０に第１電源ＥＬＶＤＤを供給する。ここで、第１電源生成部１７０は、１フレーム期間に複数の電圧レベルを有する第１電源ＥＬＶＤＤを供給する。このような第１電源生成部１７０の詳細な構成および動作過程は後述する。
【００２７】
第２電源生成部１８０は、画素１４０に第２電源ＥＬＶＳＳを供給する。ここで、第２電源生成部１８０は、発光期間にローレベルの第２電源ＥＬＶＳＳを供給し、それ以外の期間にハイレベルの第２電源ＥＬＶＳＳを供給する。
【００２８】
図２は、本発明の実施形態にかかる有機電界発光表示装置の駆動方法を示す図である。
【００２９】
図２を参照すれば、本願発明の実施形態にかかる有機電界発光表示装置は、同時発光方式で駆動する。一般的に、駆動方式は、順次発光（Ｐｒｏｇｒｅｓｓｉｖｅ  Ｅｍｉｓｓｉｏｎ）および同時発光（Ｓｉｍｕｌｔａｎｅｏｕｓ  Ｅｍｉｓｓｉｏｎ）方式に区分される。順次発光方式とは、各走査線ごとにデータが順次に入力され、データの入力順序と同様に、画素が水平ライン単位で順次に発光する方式を意味する。
【００３０】
同時発光方式とは、各走査線ごとにデータが順次に入力され、すべての画素にデータが入力された後、画素が同時に発光する方式を意味する。同時発光方式で駆動される本願発明の１フレームは、（ａ）リセット期間、（ｂ）閾値電圧補償期間、（ｃ）走査期間、（ｄ）発光期間に分けられる。ここで、（ｃ）走査期間には、各走査線ごとに順次に画素１４０が駆動され、走査期間を除いた（ａ）リセット期間、（ｂ）閾値電圧補償期間、（ｄ）発光期間の間には、すべての画素１４０が同時に駆動される。
【００３１】
（ａ）リセット期間は、画素１４０のそれぞれに含まれる駆動トランジスタのゲート電極の電圧を初期化する期間である。言い換えれば、リセット期間の間、駆動トランジスタのゲート電極は低い電圧に初期化される。
【００３２】
（ｂ）閾値電圧補償期間は、駆動トランジスタの閾値電圧を補償する期間である。このような閾値電圧補償期間の間、画素１４０のそれぞれには駆動トランジスタの閾値電圧に対応する電圧が充電される。
【００３３】
（ｃ）走査期間は、画素１４０のそれぞれにデータ信号を供給する期間である。このような走査期間には、画素１４０のそれぞれにはデータ信号に対応する電圧が充電される。
【００３４】
（ｄ）発光期間は、走査期間に供給されたデータ信号に対応して、画素１４０が発光する期間である。
【００３５】
このような本発明の駆動方法では、それぞれの動作区間（（ａ）〜（ｄ））が時間的に明確に分離されるため、各画素１４０に具備される補償回路のトランジスタおよびこれを制御する信号線数を減らすことができる。また、動作区間（（ａ）〜（ｄ））が時間的に明確に分離されるため、シャッタ（Ｓｈｕｔｔｅｒ）眼鏡式３Ｄディスプレイの実現が容易であるという利点がある。
【００３６】
図３は、図１に示された画素の実施形態を示す図である。図３では、説明の便宜上、第ｎ走査線Ｓｎおよび第ｍデータ線Ｄｍに接続された画素を示す。
【００３７】
図３を参照すれば、本発明の実施形態にかかる画素１４０は、有機発光ダイオードＯＬＥＤと、有機発光ダイオードＯＬＥＤに供給される電流量を制御する画素回路１４２とを備える。
【００３８】
有機発光ダイオードＯＬＥＤのアノード電極は画素回路１４２に接続され、カソード電極は第２電源ＥＬＶＳＳに接続される。このような有機発光ダイオードＯＬＥＤは、画素回路１４２から供給される電流に対応して、所定輝度の光を生成する。
【００３９】
画素回路１４２は、データ信号および駆動トランジスタの閾値電圧に対応する電圧を充電し、充電された電圧に対応して、有機発光ダイオードＯＬＥＤに供給される電流量を制御する。このために、画素回路１４２は、３個のトランジスタＭ１〜Ｍ３と、２個のキャパシタＣ１、Ｃ２とを備える。
【００４０】
第１トランジスタＭ１のゲート電極は走査線Ｓｎに接続され、第１電極はデータ線Ｄｍに接続される。そして、第１トランジスタＭ１の第２電極は第１ノードＮ１に接続される。このような第１トランジスタＭ１は、走査線Ｓｎに走査信号が供給される時にターンオンされ、データ線Ｄｍと第１ノードＮ１とを電気的に接続させる。
【００４１】
第２トランジスタＭ２（駆動トランジスタ）のゲート電極は第２ノードＮ２に接続され、第１電極は第１電源ＥＬＶＤＤに接続される。そして、第２トランジスタＭ２の第２電極は有機発光ダイオードＯＬＥＤのアノード電極に接続される。このような第２トランジスタＭ２は、第２ノードＮ２に印加された電圧に対応して、有機発光ダイオードＯＬＥＤに供給される電流量を制御する。
【００４２】
第３トランジスタＭ３の第１電極は第２トランジスタＭ２の第２電極に接続され、第２電極は第２ノードＮ２に接続される。そして、第３トランジスタＭ３のゲート電極は制御線ＧＣに接続される。このような第３トランジスタＭ３は、制御線ＧＣに制御信号が供給される時にターンオンされ、第２トランジスタＭ２をダイオード形態で接続させる。
【００４３】
第１キャパシタＣ１は、第１ノードＮ１と第１電源ＥＬＶＤＤとの間に接続される。このような第１キャパシタＣ１は、データ信号に対応する電圧を充電する。
【００４４】
第２キャパシタＣ２は、第１ノードＮ１と第２ノードＮ２との間に接続される。このような第２キャパシタＣ２は、第２トランジスタＭ２の閾値電圧に対応する電圧を充電する。
【００４５】
このような画素１４０は、上述したリセット期間、閾値電圧補償期間、走査期間および発光期間を経て所定の映像を表示する。ここで、画素１４０は、発光期間を除いたリセット期間、閾値電圧補償期間および走査期間に非発光状態に設定される。
【００４６】
このような画素１４０は、走査線Ｓ１〜Ｓｎに供給される走査信号、制御線ＧＣに供給される制御信号、第１電源ＥＬＶＤＤおよび第２電源ＥＬＶＳＳの電圧レベルに対応して、多様な方法で駆動できる。
【００４７】
図４は、フレーム期間に供給される第１電源および第２電源の実施形態を示す図である。
【００４８】
図４を参照すれば、第２電源ＥＬＶＳＳは、非発光期間にハイレベルの第２電源ＥＬＶＳＳに設定され、発光期間にローレベルの第２電源ＥＬＶＳＳに設定される。ここで、ハイレベルの第２電源ＥＬＶＳＳは画素１４０が非発光状態、ローレベルの第２電源ＥＬＶＳＳは画素１４０が発光状態に設定されるように電圧値が設定される。
【００４９】
第１電源ＥＬＶＤＤは、フレームの非発光期間の一部期間、例えば、リセット期間に第３電圧Ｖ３に設定される。この場合、第３電圧Ｖ３は、駆動トランジスタのゲート電極を初期化するための電圧として使用される。
【００５０】
第１電源ＥＬＶＤＤは、非発光期間の残りの期間、例えば、閾値電圧補償期間および走査期間に第２電圧Ｖ２に設定される。この場合、第２電圧Ｖ２は、キャパシタのそれぞれに駆動トランジスタの閾値電圧、データ信号に対応する電圧を充電するために使用される。このために、第２電圧Ｖ２は、第３電圧Ｖ３より高い電圧に設定される。
【００５１】
第１電源ＥＬＶＤＤは、発光期間に第１電圧Ｖ１に設定される。この場合、第１電圧Ｖ１は、画素１４０に電流を供給するために使用される。このために、第１電圧Ｖ１は、第２電圧Ｖ２と同一またはそれより高い電圧に設定される。
【００５２】
図５は、本発明の実施形態にかかる第１電源生成部を示す図である。
【００５３】
図５を参照すれば、本発明の実施形態にかかる第１電源生成部１７０は、ＤＣ／ＤＣコンバータ１７２と、第１トランジスタＴ１と、第２トランジスタＴ２と、第３トランジスタＴ３とを備える。
【００５４】
ＤＣ／ＤＣコンバータ１７２は、タイミング制御部１５０からイネーブル信号Ｅｎが供給される期間、つまり、発光期間に駆動されながら、第１電圧Ｖ１を出力する。そして、ＤＣ／ＤＣコンバータ１７２は、イネーブル信号Ｅｎが供給されない期間、つまり、非発光期間に第１電圧Ｖ１を出力しない。
【００５５】
第１トランジスタＴ１は、ＤＣ／ＤＣコンバータ１７２と出力端子１７３との間に接続される。このような第１トランジスタＴ１は、タイミング制御部１５０の制御に対応して、発光期間に出力端子１７３に第１電圧Ｖ１を供給する。
【００５６】
第２トランジスタＴ２は、出力端子１７３と第３電圧源Ｖ３との間に接続される。このような第２トランジスタＴ２は、タイミング制御部１５０の制御に対応して、非発光期間中の一部期間に出力端子１７３に第３電圧Ｖ３を供給する。
【００５７】
第３トランジスタＴ３は、第２電圧源Ｖ２と出力端子１７３との間に接続される。このような第３トランジスタＴ３は、タイミング制御部１５０の制御に対応して、非発光期間中の一部期間を除いた残りの期間に出力端子１７３に第２電圧Ｖ２を供給する。
【００５８】
図６は、図５に示されたＤＣ／ＤＣコンバータの実施形態を示す図である。
【００５９】
図６を参照すれば、本発明の実施形態にかかるＤＣ／ＤＣコンバータ１７２は、制御部１７４と、第１電源電圧ＶＤＤおよび第２電源電圧ＶＳＳの間に接続される第４トランジスタＴ４および第５トランジスタＴ５と、第１ノードＮ１と第２ノードＮ２との間に接続されるインダクタＬと、第２ノードＮ２と基底電源との間に直列に接続される第１抵抗Ｒ１および第２抵抗Ｒ２と、第２ノードＮ２と基底電源との間に接続される第１キャパシタＣ１とを備える。ここで、第１ノードＮ１は、第４トランジスタＴ４および第５トランジスタＴ５の共通ノードであり、第２ノードＮ２は、第１トランジスタＴ１に接続されたノードを意味する。
【００６０】
第４トランジスタＴ４および第５トランジスタＴ５は、第１電源電圧ＶＤＤおよび第２電源電圧ＶＳＳの間に直列に接続される。このような第４トランジスタＴ４および第５トランジスタＴ５は、制御部１７４の制御に対応してターンオンまたはターンオフされる。
【００６１】
制御部１７４は、図７に示されるように、イネーブル信号Ｅｎが供給される発光期間の間、第４トランジスタＴ４および第５トランジスタＴ５を交互にターンオンおよびターンオフさせながら、第２ノードＮ２に所定の電圧、つまり、第１電圧Ｖ１が印加されるように制御する。このために、制御部１７４は、発光期間の間、第１抵抗Ｒ１および第２抵抗Ｒ２の間の共通ノードに印加される電圧がフィードバックされる。また、制御部１７４は、イネーブル信号Ｅｎが供給されない非発光期間の間、第４トランジスタＴ４をターンオフ、第５トランジスタＴ５をターンオン状態に設定する。
【００６２】
つまり、本願発明の実施形態において、ＤＣ／ＤＣコンバータ１７２は、発光期間の間、第４トランジスタＴ４および第５トランジスタＴ５を交互にターンオンおよびターンオフさせながら、第１電圧Ｖ１を出力する。そして、ＤＣ／ＤＣコンバータ１７２は、非発光期間の間、第５トランジスタＴ５をターンオン状態、第４トランジスタＴ４をターンオフ状態に維持する。この場合、非発光期間に第１電圧Ｖ１が出力されない。
【００６３】
このように非発光期間にＤＣ／ＤＣコンバータ１７２を非駆動状態に設定すると、ＤＣ／ＤＣコンバータ１７２で消費する電力が減少すると同時に、発熱量が最小化される。実験的に、発光期間および非発光期間が４０％：６０％程度に設定されると、ＤＣ／ＤＣコンバータの消費電力および発熱が略２０％〜３０％減少する。
【００６４】
一方、図７に示されるように、非発光期間の初期期間に第２トランジスタＴ２がターンオンされ、第３電圧源Ｖ３の電圧が出力端子１７３に出力され、それ以外の期間に第３トランジスタＴ３がターンオンされ、第２電圧源Ｖ２の電圧が出力端子１７３に出力される。
【００６５】
本願発明の実施形態では、ＤＣ／ＤＣコンバータ１７２を非発光期間に非駆動状態に設定するために、非発光期間の初期期間を除いた残りの期間に第２電圧Ｖ２を出力端子１７３に供給する。ここで、第２電圧Ｖ２は、システムに供給される多様な電圧のうち、第１電圧Ｖ１と第３電圧Ｖ３との間の電圧に設定できる。一例として、本願発明の実施形態では、図８のように、ハイレベルの第２電源ＥＬＶＳＳの電圧を第２電源Ｖ２として使用することができる。
【００６６】
本発明の技術思想は、上記の好ましい実施形態によって具体的に記述されたが、上記の実施形態は、その説明のためのものであって、それを制限するためのものではないことに注意しなければならない。また、本発明の技術分野における通常の知識を有する者であれば、本発明の技術思想の範囲内で多様な変形例が可能であることを理解することができる。
【符号の説明】
【００６７】
１１０：走査駆動部
１２０：データ駆動部
１３０：画素部
１４０：画素
１４２：画素回路
１５０：タイミング制御部
１６０：制御線駆動部
１７０、１８０：電源生成部
１７２：ＤＣ／ＤＣコンバータ
１７３：出力端子
【図１】
2014026255.tif 000003
【図２】
2014026255.tif 000004
【図３】
2014026255.tif 000005
【図４】
2014026255.tif 000006
【図５】
2014026255.tif 000007
【図６】
2014026255.tif 000008
【図７】
2014026255.tif 000009
【図８】
2014026255.tif 000010